【手続補正書】
【提出日】平成25年3月28日(2013.3.28)
【手続補正１】
【補正対象書類名】特許請求の範囲
【補正対象項目名】請求項２
【補正方法】変更
【補正の内容】
【請求項２】
前記第１階層要約データは、前記動画像コンテンツを構成する画像のうち、前記第１の頻度で抽出される画像が複数の分割領域に分割された、前記分割領域毎の画素値、輝度値、アクティビティ、音声ボリューム、および所定の音声周波数帯域の振幅の平均値のいずれか、または組み合わせから構成され、前記第１のサイズであり、
前記第２階層要約データは、前記動画像コンテンツを構成する画像のうち、前期第１の頻度よりも高い第２の頻度で抽出される画像が複数の分割領域に分割された、前記分割領域毎の画素値、輝度値、アクティビティ、音声ボリューム、または所定の音声周波数帯域の振幅の平均値の少なくともいずれかまた組み合わせから構成され、前記第２のサイズである
請求項１に記載の画像処理装置。
【手続補正２】
【補正対象書類名】明細書
【補正対象項目名】０００９
【補正方法】変更
【補正の内容】
【０００９】
前記第１階層要約データは、前記動画像コンテンツを構成する画像のうち、前期第１の頻度で抽出される画像が複数の分割領域に分割された、前記分割領域毎の画素値、輝度値、アクティビティ、音声ボリューム、および所定の音声周波数帯域の振幅の平均値のいずれか、または組み合わせから構成されるものとし、前記第１のサイズとすることができ、前記第２階層要約データは、前記動画像コンテンツを構成する画像のうち、前期第１の頻度よりも高い第２の頻度で抽出される画像が複数の分割領域に分割された、前記分割領域毎の画素値、輝度値、アクティビティ、音声ボリューム、または所定の音声周波数帯域の振幅の平均値の少なくともいずれかまた組み合わせから構成されるものとし、前記第２のサイズとすることができる。
【手続補正３】
【補正対象書類名】明細書
【補正対象項目名】００３５
【補正方法】変更
【補正の内容】
【００３５】
第１階層要約データ検索部１５３は、画像分割部１７１、ＲＧＢ画素値平均値計算部１７２、および比較部１７３を備えている。第１階層要約データ検索部１５３は、検索しようとする動画像コンテンツに関連するサンプルデータの代表画像より第１階層要約データを生成する。すなわち、第１階層要約データ検索部１５３は、画像分割部１７１を制御して、代表画像を所定数の分割領域に分割させる。次に、第１階層要約データ検索部１５３は、ＲＧＢ画素値平均値計算部１７２を制御して、分割領域毎にＲＧＢ（赤色画素、緑色画素、青色画素）のそれぞれの画素値の平均値を求めさせる。そして、第１階層要約データ検索部１５３は、このようにして分割領域毎に求められたＲＧＢのそれぞれの平均値を要素とし、１００バイト程度の情報量からなるフレーム単位のベクトルを第１階層要約データとして求める。尚、サンプルデータの代表画像は、サンプルデータを構成する動画像コンテンツの先頭画像、またはシーンチェンジのタイミングにおける画像である。
【手続補正４】
【補正対象書類名】明細書
【補正対象項目名】００３７
【補正方法】変更
【補正の内容】
【００３７】
第２階層要約データ検索抽出部１５４は、検索しようとするサンプルデータの動画像コンテンツの動画像情報に基づいて、第２検索要約データを生成する。そして、第２階層要約データ検索抽出部１５４は、サンプルデータの第２検索要約データと、第１階層要約データ検索部１５３により検索された第１階層要約データの動画像コンテンツの第２階層要約データファイル１１２とが一致するものを検索する。すなわち、第２階層要約データ検索抽出部１５４は、画像分割部１８１を制御して、検索しようとするサンプルデータの動画像コンテンツの動画像情報の各フレームを所定数の分割領域に分割させる。次に、第２階層要約データ検索抽出部１５４は、ＲＧＢ画素値平均値計算部１８２を制御して、分割領域毎にＲＧＢ（赤色画素、緑色画素、青色画素）のそれぞれの画素値の平均値を求めさせる。そして、第２階層要約データ検索抽出部１５４は、このようにして分割領域毎に求められたＲＧＢのそれぞれの平均値を要素とし、３０バイト程度の情報量からなるフレーム単位のベクトルをサンプルデータの第２階層要約データとして求める。すなわち、第２階層要約データファイル１１２は、毎フレームごとに求められた第２階層要約データが時系列に配置されたものである。従って、サンプルデータの第２階層要約データが時系列に配置されたものが、登録された第２階層要約データファイル１１２の時系列に配置された第２階層要約データ上で、１フレームずつスライドされるとき、対応するフレーム同士の第２階層要約データ間の差分が順次求められるとき、その差分の最小値が所定の閾値よりも小さければ、検索対象となる動画像コンテンツと一致、または類似しているものとして検索される。また、検索対象となる動画像コンテンツと一致、または類似していれば、その差分が最小となるときのスライド位置が、そのサンプルデータの、検索しようとする動画像コンテンツ上の再生位置として特定される。
【手続補正５】
【補正対象書類名】明細書
【補正対象項目名】００４３
【補正方法】変更
【補正の内容】
【００４３】
ステップＳ１２において、動画像コンテンツデータ登録部２３は、バッファ２２より動画像コンテンツを読み出して、第１階層要約データ生成処理を実行し、第１階層要約データを生成して記憶部２４の第１階層要約データDB１０１に登録する。
【手続補正６】
【補正対象書類名】明細書
【補正対象項目名】００８９
【補正方法】変更
【補正の内容】
【００８９】
ステップＳ８８において、第２階層要約データ生成部４４は、ＲＧＢ画素値平均値計算部７２を制御して、分割領域Ｐ（ｎ）のＲＧＢの各画素について、画素値の平均値をそれぞれ求める。
【手続補正７】
【補正対象書類名】明細書
【補正対象項目名】００９７
【補正方法】変更
【補正の内容】
【００９７】
ステップＳ１５において、動画像コンテンツデータ登録部２３は、登録しようとする動画像コンテンツからなる動画像コンテンツファイル１１１と対応する第２階層要約データファイル１１２とからなるコンテンツデータペア１０２を記憶部２４に登録する。
【手続補正８】
【補正対象書類名】明細書
【補正対象項目名】０１５５
【補正方法】変更
【補正の内容】
【０１５５】
ステップＳ１８２において、コンテンツファイル圧縮部２６は、同一部分検索部２１１を制御して、検索された複数の動画像コンテンツファイルより、同一部分を検索させる。すなわち、図１１を参照して説明したようにフレーム単位でスライドマッチングにより第２階層要約データファイル１１２が比較されることにより、サンプルデータの動画像コンテンツのどのフレームと、同一、または類似していると見なされた動画像コンテンツのどのフレームとが一致するかについては検索されることになる。
【手続補正９】
【補正対象書類名】図面
【補正対象項目名】図１
【補正方法】変更
【補正の内容】
【図１】
2011221806.tif 000001
【手続補正１０】
【補正対象書類名】図面
【補正対象項目名】図１０
【補正方法】変更
【補正の内容】
【図１０】
2011221806.tif 000002
【手続補正１１】
【補正対象書類名】図面
【補正対象項目名】図１４
【補正方法】変更
【補正の内容】
【図１４】
2011221806.tif 000003